(57)【要約】【課題】  簡易な構成で、家具や事務機器などの被取付体の上下位置の調節がし易いアジャスター付きキャスターの提供。【解決手段】  アジャスター付きキャスター１は、家具などの被取付体８の下部に取り付けられる取付体２と、取付体２に回転可能に保持される回転操作体３と、回転操作体３に回転可能に保持される車輪支持体４と、車輪支持体４に回転可能に支持される車輪５（２個）と、回転操作体３の下端部に螺合され、回転操作体３を回転させることにより上下動する昇降体６と、車輪支持体４と昇降体６とを互いに回転不能にする結合部材７とを備えている。【選択図】      図２
0003129344.tif 000002
【実用新案登録請求の範囲】
【請求項１】
被取付体に取り付けられ、上下方向へ延出する軸部を有する取付体と、
前記軸部に回転可能に保持され、回転させることにより前記被取付体の上下位置を調節する回転操作体と、
前記回転操作体を挿入可能に形成された中空部を有し、前記回転操作体に対し、回転可能に保持される車輪支持体と、
前記車輪支持体に回転可能に支持される車輪と、
前記中空部に挿入され、かつ、前記回転操作体の下端部と螺合され、前記回転操作体の回転に伴って上下動する昇降体と、
前記車輪支持体と前記昇降体とを互いに回転不能にする結合部材と
を備えることを特徴とするアジャスター付きキャスター。
【請求項２】
前記昇降体に形成された雄ねじ部と、前記回転操作体の下端部に形成された雌ねじ部とが螺合される
ことを特徴とする請求項１に記載のアジャスター付きキャスター。
【請求項３】
前記結合部材は、棒状に形成されており、
当該結合部材は、前記昇降体に形成された、開口が上下方向に延在する差込溝と、前記車輪支持体に形成された、前記差込溝へと延出する貫通穴とを挿通する
ことを特徴とする請求項１から請求項２までのいずれかに記載のアジャスター付きキャスター。
【請求項４】
前記昇降体の下端部には、前記昇降体に対して回転不能に接床部が設けられている
ことを特徴とする請求項１から請求項３までのいずれかに記載のアジャスター付きキャスター。
【考案の詳細な説明】
【技術分野】
【０００１】
本考案は、家具などの被取付体の下部に設置されるキャスターに関するものである。特に、被取付体の上下位置を調節することができるアジャスター付きキャスターに関するものである。
【背景技術】
【０００２】
下記特許文献１には、被取付物(16)に取り付けられる基体(2)と、基体(2)に回転可能に保持される車輪支持体(6)と、車輪支持体(6)に回転可能に支持される車輪(9)と、基体(2)に螺合される昇降軸(11)と、昇降軸(11)に回転不能に保持される回転操作部(13)と、昇降軸(11)の下端部に回転可能に保持される接床体(15)とを備えたアジャスタ兼キャスタ装置(1)が開示されている。このような構成であるので、アジャスタ兼キャスタ装置(1)は、回転操作部(13)を回転させることにより、昇降軸(11)が回転操作部(13)とともに上下動し、被取付物(16)の上下位置を調節することができる。なお、括弧書きの符号は、特許文献１中における符号である。
【特許文献１】特開２００５−３５００３８号公報
【考案の開示】
【考案が解決しようとする課題】
【０００３】
しかしながら、前記特許文献１に記載の発明では、回転操作部(13)は、昇降軸(11)に回転不能に保持されているので、車輪支持体(6)の下方側に位置する。したがって、回転操作部(13)は、床面近くを上下動することになり、操作が非常にし難かった。さらに、接床体(15)は、昇降軸(11)の下端部に回転可能、かつ、上下動不能に設ける必要があり、必須の構成要素である。したがって、製造に手間がかかり、コストも高くついた。
【０００４】
この考案は、上記事情に鑑みてなされたものであり、簡易な構成で、家具や事務機器などの被取付体の上下位置の調節がし易いアジャスター付きキャスターを提供することを課題とする。
【課題を解決するための手段】
【０００５】
この考案は、前記課題を解決するためになされたもので、被取付体に取り付けられ、上下方向へ延出する軸部を有する取付体と、前記軸部に回転可能に保持され、回転させることにより前記被取付体の上下位置を調節する回転操作体と、前記回転操作体を挿入可能に形成された中空部を有し、前記回転操作体に対し、回転可能に保持される車輪支持体と、前記車輪支持体に回転可能に支持される車輪と、前記中空部に挿入され、かつ、前記回転操作体の下端部と螺合され、前記回転操作体の回転に伴って上下動する昇降体と、前記車輪支持体と前記昇降体とを互いに回転不能にする結合部材とを備えることを特徴とするアジャスター付きキャスターである。
【考案の効果】
【０００６】
本考案によれば、簡易な構成で、家具や事務機器などの被取付体の上下位置の調節がし易いアジャスター付きキャスターを提供することができる。
【考案を実施するための最良の形態】
【０００７】
以下、本考案に係るアジャスター付きキャスターの一実施例について、図面に基づき詳細に説明する。
【０００８】
図１は、アジャスター付きキャスターの一実施例を示す正面図である。図２は、図１のキャスターの使用状態を示す左側面図であり、一部を断面にして示している。なお、図２においては、被取付体に取り付けられ、回転操作体を回転させることにより、昇降体が下方へ移動する状態を示す。図３は、図１のキャスターに備えられる取付体と回転操作体と車輪が支持された車輪支持体の一部を断面にして示した左側面図であり、その取付過程を示す。図４は、図３の取付過程後に昇降体と結合部材とが取り付けられる過程を示す左側面図であり、一部を断面にして示している。
【０００９】
アジャスター付きキャスター１は、金属製の取付体２と、取付体２に回転可能に保持される合成樹脂製の回転操作体３と、回転操作体３に回転可能に保持される合成樹脂製の車輪支持体４と、車輪支持体４に回転可能に支持される合成樹脂製の車輪５（本実施例の形態では２個）と、回転操作体３の下端部に螺合される金属製の昇降体６と、車輪支持体４と昇降体６とを互いに回転不能にする金属製の結合部材７とを備えている。ここで、取付体２、昇降体６および結合部材７は金属製とされ、回転操作体３、車輪支持体４および車輪５は合成樹脂製とされているが、これに限定されるものではない。すなわち、構成部品の材料は、適宜定めればよい。
【００１０】
取付体２は、家具などの被取付体８と螺合されるねじ込み部９と、被取付体８とねじ込み部９とが螺合されて被取付体８と上面で当接する当接面１０と、回転操作体３を回転可能に保持する軸部１１とから構成されている。ねじ込み部９は、上下方向へ延出し、下部に被取付体８への当接面１０が形成されている。当接面１０は、径方向に対向する外周部の２箇所がＤ面カットされており、下面において軸部１１と接続されている。軸部１１は、上下方向へ延出する段付き円柱状に形成されており、大径部１２と小径部１３とが一体形成されている。さらに、小径部１３の側壁には、周方向に連続して溝１４が形成されている。ここで、当接面１０は、径方向に対向する外周部の２箇所をＤ面カットした形状とされているが、これに限定されるものではなく、たとえば、六角形状としてもよい。また、軸部１１は、上下方向へ延出する段付き円柱状に形成されているが、これに限定されるものではない。たとえば、大径部１２と小径部１３との径を同じに形成し、同軸上に一体形成してもよい。
【００１１】
回転操作体３は、径方向に対向する外周部の２箇所がＤ面カットされたフランジ１５と、フランジ１５の下面から下方へ延出する円筒部１６とから構成されている。ここで、フランジ１５と円筒部１６とは、一体形成されている。円筒部１６の側壁には、周方向に連続して係合溝１７が形成されている。さらに、回転操作体３には、軸部１１が差し込まれる円筒状の軸部差込穴１８と、昇降体６が螺合される雌ねじ部１９とが形成されている。なお、軸部差込穴１８と雌ねじ部１９とは連通している。さらに、軸部差込穴１８と雌ねじ部１９とは、段付き円筒状に形成されており、雌ねじ部１９の径は軸部差込穴１８の径よりも小さく形成されている。ここで、フランジ１５は、径方向に対向する外周部の２箇所をＤ面カットした形状とされているが、これに限定されるものではなく、たとえば、六角形状としてもよい。
【００１２】
したがって、取付体２は、軸部差込穴１８の上部開口から軸部１１が差し込まれ、当接面１０の下面とフランジ１５の上面とが当接された位置で回転操作体３の上側に設けられる。ここで、当接面１０の下面とフランジ１５の上面との当接箇所は、軸部差込穴１８の周方向に摺動可能とされる。さらに、円筒部１６の側壁には、軸部差込穴１８の径方向外側に延出するピン差込穴２０が形成されており、取付体２が回転操作体３に差し込まれた状態において、ピン２１がピン差込穴２０を貫通して溝１４に摺動可能に差し込まれる。よって、回転操作体３は、取付体２に対して回転可能に保持される。すなわち、ピン２１は、取付体２からの回転操作体３の抜け落ちを防止するが、回転操作体３の回転と共に溝１４に沿って軸部差込穴１８の周方向に回転するので、回転操作体３の回転を妨げない。
【００１３】
車輪支持体４は、上下方向へ延出し、径方向に対向する外周部の２箇所がＤ面カットされた差込部２２と、車軸取付穴２３が形成された車軸支持部２４とから構成されている。ここで、差込部２２と車軸支持部２４とは、一体形成されている。差込部２２には、上下両端が開口した中空部２５が形成されている。中空部２５は、段付き円柱状に形成されており、円筒部１６が収容される大径穴２６と、昇降体６が挿通可能な小径穴２７とが形成されている。さらに、大径穴２６には、係合溝１７と係合する係合突部２８が、大径穴２６の径方向内側に突出しており、周方向に連続して形成されている。係合突部２８は、縦断面の形状が半円形状に形成されている。車軸支持部２４には、車軸２９を介して、２個の車輪５が回転可能に支持される。つまり、車軸取付穴２３に車軸２９を回転可能に貫通させ、その車軸２９の両端に車輪５を１個ずつ固定させる。なお、係合突部２８の縦断面形状は、これに限定されるものではない。また、差込部２２は、径方向に対向する外周部の２箇所をＤ面カットした形状とされているが、このように形成する必要はなく、適宜変更可能である。
【００１４】
前述のように、取付体２が差し込まれた回転操作体３は、大径穴２６の上部開口から円筒部１６が差し込まれ、係合溝１７と係合突部２８とが係合するよう押し込まれる。ここで、係合突部２８は、縦断面の形状が半円形状に形成されているので、押し込んで係合溝１７と係合突部２８とを係合させることができる。つまり、取付体２が差し込まれた回転操作体３を押し込むことにより、差込部２２が弾性変形し、円筒部１６が係合突部２８に当接しつつ滑らかに移動するので、係合溝１７と係合突部２８とを係合させることができる。よって、取付体２が差し込まれた回転操作体３は、円筒部１６が大径穴２６に収容され、フランジ１５の下面と差込部２２の上面とが当接された位置で、２個の車輪５が支持された車輪支持体４に設けられる。
【００１５】
フランジ１５の下面と差込部２２の上面との当接箇所は、摺動可能とされ、係合溝１７と係合突部２８とは、回転可能に係合される。したがって、２個の車輪５が支持された車輪支持体４は、回転操作体３に対して回転可能となる。さらに、係合溝１７と係合突部２８とが係合することにより、２個の車輪５が支持された車輪支持体４が回転操作体３から抜け落ちることが防止される。ここで、ピン２１は、円筒部１６の側壁から、円筒部１６の径方向外側に突き出ていないので、取付体２が差し込まれた回転操作体３を大径穴２６に押し込むことができる。
【００１６】
昇降体６は、上下方向へ延出する雄ねじ部３０と、雄ねじ部３０の下部に形成された円板状の接床部３１とから構成されている。ここで、雄ねじ部３０と接床部３１とは、一体形成されている。雄ねじ部３０の側壁には、開口が上下方向に延在する差込溝３２が形成されている。接床部３１の径は、雄ねじ部３０の径より大きく、２個の車輪５の間の間隔（図１に示す符号Ｄ）より小さく形成されている。したがって、車輪５の車軸２９の回転径を小さくすることができる。すなわち、車輪５を内側によせることを可能とすることにより、アジャスター付きキャスター１の小型化を図っている。
【００１７】
前述のように、取付体２、回転操作体３および２個の車輪５が支持された車輪支持体４が組み合わされた後、昇降体６は、回転操作体３に螺合される。すなわち、雄ねじ部３０が、六角ナット３３と平座金３４とを貫通し、小径穴２７を通って雌ねじ部１９に螺合される。このとき、平座金３４は、その上面が差込部２２の下端面と当接して配置され、六角ナット３３は、その上面が平座金３４の下面と当接して配置される。さらに、差込部２２の側壁には、小径穴２７の径方向外側に延出する貫通穴３５が形成されており、回転操作体３と昇降体６とが螺合された状態において、ピン状の結合部材７が貫通穴３５を通って差込溝３２に差し込まれる。ここで、結合部材７の直径は、差込溝３２の幅よりも若干小さく形成されている。
【００１８】
このような構成であるので、フランジ１５を直接手で摘まむか、または、スパナなどの工具で挟むかして、回転操作体３を周方向一方に回転させることにより、雌ねじ部１９と雄ねじ部３０との螺合箇所が上下方向に短くなり、昇降体６が下方へ移動する。また、昇降体６が下方へ移動した状態において、回転操作体３を周方向他方に回転させると、雌ねじ部１９と雄ねじ部３０との螺合箇所が上下方向に長くなり、昇降体６は上方へ移動する。回転操作体３を回転させると、差込溝３２に結合部材７が差し込まれているので、差込溝３２と結合部材７とは相対的に上下動するが、回転操作体３の回転に対する昇降体６の共回りは防止される。
【００１９】
次に、アジャスター付きキャスター１の動作について具体的に説明する。ここで、昇降体６の上下動幅は、結合部材７が設けられたことにより、差込溝３２の上下方向の長さに制限されている。
【００２０】
昇降体６が上方にある状態、つまり、結合部材７が差込溝３２の下方にある状態では、接床部３１が床面から浮いた状態となっている。すなわち、車輪５が床面に接し、被取付体８を移動可能としている。この状態から、回転操作体３を周方向一方に回転させ、昇降体６を下方へ移動させる。そして、接床部３１が床面に接した状態となる。さらに、回転操作体３を周方向一方に回転させると、車輪５は床面から離れ、接床部３１のみが床面に接している状態となる。このとき、昇降体６が下方にある状態、つまり、結合部材７が差込溝３２の上方にある状態となっている。この状態から、回転操作体３を周方向他方に回転させると、昇降体６は上方へ移動し、やがて、車輪５が床面に接した状態となる。さらに、回転操作体３を周方向他方に回転させると、接床部３１は床面から離れ、再び、被取付体８を移動可能な状態となる。
【００２１】
このような動作により、アジャスター付きキャスター１は、家具などの被取付体８の高さを無段階に調節できる。ここで、回転操作体３を回転させて昇降体６を上下動させると、六角ナット３３と平座金３４とは、昇降体６の上下動に伴って上下動する。回転操作体３の操作により、被取付体８の床面からの高さが決められた後、六角ナット３３を回転させると、六角ナット３３は平座金３４と共に上下動する。そして、差込部２２の下面と平座金３４の上面とが当接し、平座金３４の下面と六角ナット３３の上面とが当接した状態に配置される。したがって、六角ナット３３と平座金３４とは、家具などの被取付体８の高さを所望の位置に固定したときの昇降体６の上下のずれを防止できる。
【００２２】
以上のような構成および動作により、回転操作体３を回転させて昇降体６を上下動させる際には、結合部材７が昇降体６の回転を阻止するので、雄ねじ部３０と接床部３１とを一体形成することができる。
【００２３】
また、本実施例の構成では、フランジ１５は、床面から上方へ離隔した位置、つまり、車輪５の位置に無関係に周囲が開放されて設けられているので、回転操作体３の操作が行い易い。
【００２４】
なお、本考案のアジャスター付きキャスター１は、上記実施例の構成、形状に限らず適宜変更可能である。たとえば、当接面１０の下面とフランジ１５の上面との当接箇所や、フランジ１５の下面と車輪支持体４の上面との当接箇所に、ベアリングを設けてもよい。
【００２５】
さらに、結合部材７の形状は、上記実施例に限定されるものではなく、昇降体６の共回りが防止される形状であれば、適宜変更可能である。その結合部材７の形状の変更に伴い、差込溝３２や貫通穴３５の形状も変更される。上記実施例では、雄ねじ部３０と接床部３１とは一体形成されているが、別々の部材として、接床部３１を雄ねじ部３０に遊びをもたせて接続してもよい。このように接続することにより、床面が多少傾斜していても、接床部３１下面全体が床面に当接されるので、傾斜した場所においても、家具などの被取付体８の高さ調節が可能となる。また、接床部３１の形状も、上記実施例に限定されるものではなく、２個の車輪５の間に配置できる形状であればよい。上記実施例では、車輪５の個数を２個としたが、これに限定されるものではない。
【図面の簡単な説明】
【００２６】
【図１】本考案のアジャスター付きキャスターの一実施例を示す正面図である。
【図２】図１のキャスターの使用状態を示す左側面図であり、一部を断面にして示している。
【図３】図１のキャスターに備えられる取付体と回転操作体と車輪が支持された車輪支持体の一部を断面にして示した左側面図であり、その取付過程を示す。
【図４】図３の取付過程後に昇降体と結合部材とが取り付けられる過程を示す左側面図であり、一部を断面にして示している。
【符号の説明】
【００２７】
１  アジャスター付きキャスター
２  取付体
３  回転操作体
４  車輪支持体
５  車輪
６  昇降体
７  結合部材
８  被取付体
１１  軸部
１９  雌ねじ部
２５  中空部
３０  雄ねじ部
３１  接床部
３２  差込溝
３５  貫通穴
【図１】
0003129344.tif 000003
【図２】
0003129344.tif 000004
【図３】
0003129344.tif 000005
【図４】
0003129344.tif 000006